(57)【特許請求の範囲】
【請求項１】
個人情報を記憶する記憶手段を有する携帯電話端末と、
該携帯電話端末に接続可能なデータ転送装置と、
インターネットに接続され、前記データ転送装置を接続可能であり、
該データ転送装置を介して接続された前記携帯電話端末の前記記憶手段との間でのデータ転送を制御する転送制御手段を有する情報処理装置と、
インターネットに接続され、外部とのデータの送受を行うサーバと、ユーザの個人情報データを保管するためのデータベースと、を有するデータセンターと、を有し、
前記情報処理装置は、オペレータの入力に基づき前記転送制御手段により、前記データ転送装置を介して接続された前記携帯電話端末の前記記憶手段から前記個人情報データを読み出し、該個人情報データをインターネットを介して前記データセンターに送信し、
該データセンターにおいて、前記サーバは、前記情報処理装置より前記個人情報データを受信すると、該個人情報データを前記データベースに所定の形式で保管し、
前記情報処理装置は、オペレータの入力に基づき前記データセンターに対し前記携帯電話端末に対応する前記個人情報データを要求し、
前記データセンターにおいて、前記サーバは、前記情報処理装置の要求に基づいて、該当する前記個人情報データを前記データベースより取り出し、インターネットを介して前記情報処理装置に送信し、
該情報処理装置は、前記データセンターより受信した前記該当する個人情報データを、前記転送制御手段により、前記データ転送装置を介して接続された前記携帯電話端末の前記記憶手段に対し書き込み、
前記データセンターは、携帯電話端末（商品）の購入申し込み手続きを受け付ける購入Ｗｅｂページを外部端末に対し提供するＷｅｂサーバをさらに有し、
前記情報処理装置は、前記Ｗｅｂサーバより商品の注文情報を受けて商品管理を行う注文情報受信手段をさらに有し、
前記データセンターは、前記購入Ｗｅｂページにおいてユーザより携帯電話端末（商品）の購入申し込みを受けた場合、該ユーザの前記個人情報データが前記データベースに保管されている場合、該個人情報データを商品の注文情報とともに前記情報処理装置の前記注文情報受信手段に送信し、
前記情報処理装置は、該注文情報受信手段において前記個人情報データおよび注文情報を受信すると、前記データ転送装置を介して接続された、前記ユーザが購入申し込みを行った携帯電話端末（商品）の有する前記記憶手段に対し、前記受信した個人情報データを前記転送制御手段により書き込むこと、
を特徴とする個人情報管理システム。
【請求項２】
個人情報を記憶する記憶手段と、第１Ｉ／Ｏインターフェースと、を有する携帯電話端末と、
前記携帯電話端末の前記第１Ｉ／Ｏインターフェースに接続可能であり、前記記憶手段に記憶されているデータを外部装置へ読み出す際または前記記憶手段に対し外部装置よりデータを書き込む際の転送インターフェースとなるデータ転送装置と、
該データ転送装置を接続可能な第２Ｉ／Ｏインターフェースと、
該第２Ｉ／Ｏインターフェースに接続された前記データ転送装置を介した前記携帯電話端末との間のデータ転送の制御を行う転送制御手段と、
インターネットを介してデータ通信を行う第１データ通信手段と、
を有する情報処理装置と、
インターネットを介してデータ通信を行う第２データ通信手段と、
インターネットを介して受信した個人情報データをユーザ別に所定の形式でデータベースに保管するＤＢサーバと、を有するデータセンターと、を有し、
前記情報処理装置は、オペレータによる入力に応じて、前記データ転送装置を介して接続された前記携帯電話端末の前記記憶手段から、前記転送制御手段により、前記個人情報データを読み出し、該個人情報データを、前記第１データ通信手段により前記データセンターに送信し、
該データセンターは、前記第２データ通信手段により、前記情報処理装置より送信された前記個人情報データを受信し、該個人情報データを前記ＤＢサーバに送信し、該ＤＢサーバは前記個人情報データを受信して前記データベースにおいて保管し、
前記情報処理装置は、オペレータによる入力に応じて、前記第１データ通信手段により前記データセンターに対し前記個人情報データを要求し、
前記データセンターは、前記第２通信手段により前記要求を取得し、前記ＤＢサーバにおいて前記要求に応じて該当する前記個人情報データを前記データベースより抽出し、該抽出された個人情報データを前記第２データ通信手段により前記情報処理装置に送信し、
該情報処理装置は、前記第１データ通信手段により前記データセンターより受信した前記該当する個人情報データを、前記転送制御手段により、前記データ転送装置を介して接続された前記携帯電話端末の前記記憶手段に書き込み、
前記データセンターは、携帯電話端末（商品）の購入申し込み手続きを受け付ける購入Ｗｅｂページを外部端末に対し提供するＷｅｂサーバをさらに有し、
前記情報処理装置は、前記Ｗｅｂサーバより商品の注文情報を受けて商品管理を行う注文情報受信手段をさらに有し、
前記データセンターは、前記購入Ｗｅｂページにおいてユーザより携帯電話端末（商品）の購入申し込みを受けた場合、該ユーザの前記個人情報データが前記データベースに保管されている場合、該個人情報データを商品の注文情報とともに前記情報処理装置の前記注文情報受信手段に送信し、
前記情報処理装置は、該注文情報受信手段において前記個人情報データおよび注文情報を受信すると、前記データ転送装置を介して接続された、前記ユーザが購入申し込みを行った携帯電話端末（商品）の有する前記記憶手段に対し、前記受信した個人情報データを前記転送制御手段により書き込むこと、
を特徴とする個人情報管理システム。
【請求項３】
前記情報処理装置は、
前記個人情報データを所定の形式で表示する表示手段と、
前記個人情報データをオペレータによる入力に応じて編集する編集手段と、をさらに有すること、を特徴とする請求項１または２に記載の個人情報管理システム。
【請求項４】
前記データセンターは、
前記データベースに保管することができる前記個人情報データをアドレス帳形式で新規登録を受け付けるＷｅｂページを提供するＷｅｂサーバをさらに有すること、を特徴とする請求項１から３のいずれか１項に記載の個人情報管理システム。
【請求項５】
前記データセンターは、
Ｗｅｂブラウザ手段を有する携帯電話端末から、手入力にて前記個人情報データの登録およびアップロードを受け付けるＷｅｂページを提供するＷｅｂサーバをさらに有すること、を特徴とする請求項１から４のいずれか１項に記載の個人情報管理システム。
【請求項６】
前記情報処理装置は、Ｗｅｂブラウザ手段をさらに有し、
前記データセンターは、
前記データベースに保管されている前記個人情報データのアドレス帳形式での表示・編集を受け付けるＷｅｂページを提供するＷｅｂサーバをさらに有すること、を特徴とする請求項１から５のいずれか１項に記載の個人情報管理システム。
【請求項７】
前記Ｗｅｂサーバは、
外部端末から、前記データベースへの前記個人情報データの転送登録およびアップロードと、外部端末への前記個人情報データのダウンロードと、を受け付けるＷｅｂページをさらに有すること、
を特徴とする請求項６記載の個人情報管理システム。
【請求項８】
前記データ転送装置は、無線インターフェースであること、を特徴とする請求項１から７のいずれか１項に記載の個人情報管理システム。
【請求項９】
個人情報を記憶する記憶手段を有する携帯電話端末と、インターネットを介してデータ通信を行うデータ通信手段と商品（個人情報を記憶する記憶手段を有する携帯電話機）の受注を行う受注手段とを有する情報処理装置と、前記携帯電話端末と前記情報処理装置とを接続するインターフェース装置と、インターネットに接続され、商品（前記携帯電話機）の購入申し込み手続きを受け付けるＷｅｂページを有するＷｅｂサーバと個人情報を保管するデータベースとを有するデータセンターと、を有するシステムに関する個人情報管理方法であって、
前記情報処理装置が前記インターフェース装置を介して前記情報処理装置と接続された前記携帯電話端末の前記記憶手段から前記個人情報データを読み出すステップと、
前記情報処理装置において、前記記憶手段から読み出された前記個人情報データを、前記データ通信手段により送信して前記データセンターの前記データベースに保管するステップと、
ユーザがＷｅｂブラウザ手段を有する端末により前記購入申し込みＷｅｂページにアクセスして前記携帯電話機の購入申し込みを行うステップと、
前記データセンターにおいて、前記ユーザによる申し込みに応じて、前記データベースに前記個人情報が保管されている場合、前記情報処理装置の前記受注手段に対し、注文情報と、前記個人情報と、を送信するステップと、
前記情報処理装置が、前記データセンターより前記注文情報と前記個人情報とを受信し、前記インターフェース装置により接続された前記ユーザが申し込み手続きを行った新規契約する携帯電話機の有する前記記憶手段に対し、前記データセンターより受信した前記個人情報を書き込むステップと、を有すること、を特徴とする個人情報管理方法。
【請求項１０】
公衆電話回線網に接続された音声応答装置が、ユーザの電話端末からのダイヤルアップに対して接続され、前記電話端末に対し、音声ガイダンス手段により所定の操作ガイダンスを行い、前記電話端末よりプッシュボタン信号または音声による個人情報の入力を受け付け、該入力信号をテキストデータに変換して、該データを前記データベースの該当するユーザの前記個人情報データに格納するステップをさらに有すること、を特徴とする請求項９記載の個人情報管理方法。
【請求項１１】
前記データセンターにおいて、前記データベースに保管されている前記個人情報の内容が更新された場合、該個人情報に記録されているユーザの連絡先に対し前記個人情報の変更内容を通知する通知ステップ、をさらに有すること、を特徴とする請求項９または１０に記載の個人情報管理方法。
【請求項１２】
前記通知ステップは、予め通知を許可設定されたユーザに対し前記変更内容の通知を行うこと、を特徴とする請求項１１記載の個人情報管理方法。
【請求項１３】
前記通知ステップは、
前記個人情報において電子メールアドレスが記録されているユーザについて、前記変更内容を記載した電子メールを作成し、該電子メールを、前記電子メールアドレスに対し送信すること、を特徴とする請求項１１または１２に記載の個人情報管理方法。
【請求項１４】
前記通知ステップは、前記変更内容の通知を、該当するユーザに対し提供する前記Ｗｅｂページ上に前記変更内容を所定の形式で表示することにより行うこと、を特徴とする請求項１１から１３のいずれか１項に記載の個人情報管理方法。
【請求項１５】
前記通知ステップは、
前記アドレス帳において電話番号が記録されている各ユーザについて、
音声応答装置により、前記個人情報の変更内容を含む音声メッセージを作成して、前記通知対象ユーザの電話番号にダイヤルアップし、前記音声メッセージを所定の応答手順に従って送信することにより通知すること、を特徴とする請求項１１から１４のいずれか１項に記載の個人情報管理方法。
【請求項１６】
前記通知ステップは、
前記変更内容を通知後、前記通知相手に対し、前記変更内容を確認したか否かの応答をプッシュボタン信号により入力するよう音声ガイダンスし、確認を示すプッシュボタン信号を受信すると、前記データセンターに対し確認取得を示す信号を送信し、
前記データセンターは、該確認取得信号を受信すると、前記個人情報の更新を行ったユーザに対し、前記該当通知相手より通知確認を取得済みであることを通知すること、を特徴とする請求項１５記載の個人情報管理方法。
【請求項１７】
前記変更内容を通知したユーザに対し通知確認応答を要求する通知確認取得ステップと、
該通知確認取得ステップにおいて、前記変更内容を通知したユーザより通知確認応答を取得した場合、前記個人情報を更新したユーザに対し、前記変更内容を通知したユーザより前記通知確認応答を取得したことを通知する確認済み通知ステップと、をさらに有すること、を特徴とする請求項１３から１６のいずれか１項に記載の個人情報管理方法。
【請求項１８】
前記データセンターにおいて、ユーザ端末のアクセスに応じて前記個人情報の変更内容についての検索を受け付ける検索Ｗｅｂページを送信し、
ユーザ端末より検索条件の入力を受け付け、検索条件を受信し、
該検索条件に基づき前記データベースを検索し、該当するユーザの前記個人情報データを抽出し、前記検索を実行したユーザが、前記抽出されたユーザにより変更内容の通知を許可されている場合、前記抽出された前記個人情報データの該当する変更内容を前記検索Ｗｅｂページ上に表示するＷｅｂ検索ステップをさらに有すること、を特徴とする請求項９から１７のいずれか１項に記載の個人情報管理方法。
【請求項１９】
前記Ｗｅｂ検索ステップは、
前記検索を実行したユーザに対する変更内容の通知が許可されていない場合、前記検索Ｗｅｂページ上にＮＧメッセージを表示し、前記抽出されたユーザに対し、前記検索を実行したユーザより個人情報の問い合わせがあったことを通知すること、を特徴とする請求項１８記載の個人情報管理方法。
【請求項２０】
前記Ｗｅｂ検索ステップは、
前記抽出されたユーザに対し、前記検索を実行したユーザより個人情報の問い合わせがあったことを通知する際、前記検索を実行したユーザに対して前記変更内容を通知するか否かの確認応答を要求し、前記抽出されたユーザより、変更内容を通知することを示す応答を取得した場合、前記検索を実行したユーザに対し前記変更内容の通知を行うこと、を特徴とする請求項１９記載の個人情報管理方法。
【請求項２１】
前記Ｗｅｂ検索ステップにおいて、前記Ｗｅｂページは、前記Ｗｅｂブラウザ手段を有する携帯電話端末に対応する形式であること、を特徴とする請求項１８から２０のいずれか１項に記載の個人情報管理方法。
【請求項２２】
音声応答装置がユーザの電話端末からのダイヤルアップに対して接続され、音声ガイダンス手段による所定の操作ガイダンスを行って、前記電話端末よりプッシュボタン信号または音声による検索条件の入力を受け付け、該入力信号をテキストデータに変換して検索条件データとして、ＤＢサーバに送信する問い合わせ受付ステップと、
前記ＤＢサーバが、前記音声応答装置より前記検索条件を受信して該検索条件データに基づき前記データベースを検索して該当するユーザの前記個人情報データを抽出し、前記問い合わせを実行したユーザが変更内容の通知を許可されている場合、前記抽出された前記個人情報の内の該当する変更内容データを前記音声応答装置に送信する検索ステップと、
前記音声応答装置が、前記ＤＢサーバより前記変更内容データを受信して、該変更内容データを音声メッセージデータに変換し、該音声メッセージデータを音声ガイダンス手段により前記ユーザの電話端末に対し送信する回答ステップと、をさらに有することを特徴とする請求項９から２１のいずれか１項に記載の個人情報管理方法。
【請求項２３】
前記データセンターにおいて、
前記個人情報の変更内容に関する検索条件を含む問い合わせの電子メールを受信して、該電子メールを解析して前記検索条件を抽出するメール解析ステップと、
ＤＢサーバにより、前記検索条件に基づき前記データベースより該当するユーザの前記個人情報データを抽出し、前記メール作成手段により、前記抽出された個人情報データの該当する変更内容データを記載した変更内容通知メールを作成し、該変更内容通知メールをメールサーバにより前記問い合わせの電子メールの送信者に対して送信する回答メール送信ステップと、をさらに有すること、を特徴とする請求項９から２２のいずれか１項に記載の個人情報管理方法。
【請求項２４】
前記データセンターにおいて、
前記個人情報の項目の内で前記変更通知の対象となる項目を設定する通知項目設定ステップをさらに有すること、を特徴とする請求項１１から２３のいずれか１項に記載の個人情報管理方法。
【請求項２５】
前記データセンターにおいて、
前記変更内容の通知を行う前記一以上の方法（電話／電子メール／携帯電話用電子メール／Ｗｅｂページなど）の内どれを使用するかおよびその優先使用順位を設定する通知方法設定ステップ、をさらに有すること、を特徴とする請求項１１から２４のいずれか１項に記載の個人情報管理方法。
【請求項２６】
前記データセンターにおいてユーザ別に保管される前記個人情報データをアドレス帳と呼ぶことにすると、
前記データセンターにおいて、
複数のユーザの前記個人情報データを一つの前記アドレス帳において保管して、該アドレス帳を共有アドレス帳として前記複数のユーザで共有使用する設定を行う第１グループ設定ステップをさらに有すること、を特徴とする請求項９から２５のいずれか１項に記載の個人情報管理方法。
【請求項２７】
前記データセンターにおいて、
前記共有アドレス帳に対する編集を許可するユーザを設定する編集権設定ステップをさらに有すること、を特徴とする請求項２６記載の個人情報管理方法。
【請求項２８】
前記データセンターにおける前記個人情報データの保管形式および記憶領域をアドレス帳と呼ぶことにすると、
前記データセンターにおいて、
複数のユーザの前記アドレス帳をリンクさせ、互いに閲覧可能にする設定を行う第２グループ設定ステップ、をさらに有すること、を特徴とする請求項９から２７のいずれか１項に記載の個人情報管理方法。
【請求項２９】
前記データセンターにおける前記個人情報データのユーザごとの保管形式および記憶領域をアドレス帳と呼ぶことにすると、
前記データセンターにおいて、
あるユーザの前記アドレス帳に更新があった場合、該ユーザの前記アドレス帳に記録されているユーザの前記個人情報データの内、前記アドレス帳の更新内容に対応する部分を自動的に更新する自動更新処理を行う対象となるユーザグループを設定する第３グループ設定ステップと、
該第３グループ設定ステップにおいて設定されたグループに対し、前記自動更新処理を行うステップと、をさらに有すること、を特徴とする請求項９から２８のいずれか１項に記載の個人情報管理方法。
【請求項３０】
前記データセンターにおいて、
広告データをデータベースに登録して管理する広告登録ステップと、
前記ＤＢサーバにより、所定の検索条件に基づき前記個人情報データあるいは前記広告データを検索し、前記個人情報データに対応した前記広告データを選択する広告選択ステップと、
該広告選択ステップにおいて選択された広告データを該当するユーザに対し配信する広告配信ステップと、をさらに有すること、を特徴とする請求項９から２９のいずれか１項に記載の個人情報管理方法。
【請求項３１】
前記広告登録ステップにおいて登録される前記広告データは、Ｗｅｂページにおいて配信する形式のデータを含み、
前記広告配信ステップは、前記広告選択ステップにおいて選択された前記広告データを該当するユーザに対し提供するＷｅｂページ上に表示すること、を特徴とする請求項３０記載の個人情報管理方法。
【請求項３２】
前記広告登録ステップにおいて登録される前記広告データは、電子メールに記載する形式のデータを含み、
前記広告配信ステップは、前記広告選択ステップにおいて選択された広告データをその内容に含む電子メールを作成し、該当するユーザの電子メールアドレスに対し送信すること、を特徴とする請求項３０または３１に記載の個人情報管理方法。
【請求項３３】
前記広告登録ステップにおいて登録される前記広告データは、ＵＲＬを含み、該広告データの提供者の提供する広告Ｗｅｂページとリンクすること、を特徴とする請求項３０から３２のいずれか１項に記載の個人情報管理方法。
【請求項３４】
前記データセンターにおいて、各ユーザについて、ユーザに対する広告の配信を許可するか否かの設定を行う広告配信設定ステップをさらにを有すること、を特徴とする請求項２８から３３のいずれか１項に記載の個人情報管理方法。
【請求項３５】
前記データセンターにおいて、各ユーザについて、配信を許可する広告の種類を設定する広告種類設定ステップ、をさらに有すること、を特徴とする請求項２８から３４のいずれか１項に記載の個人情報管理方法。
【請求項３６】
前記データセンターにおいて、
前記ユーザに対し配信する広告データに対するユーザのレスポンスをカウントするレスポンスカウントステップと、
該レスポンスカウントステップによるカウント数に応じてユーザに対し所定のサービスの利用料の割引を行う割引ステップと、を有すること、を特徴とする請求項２８から３５のいずれか１項に記載の個人情報管理方法。
【請求項３７】
前記レスポンスカウントステップは、ユーザによる前記広告Ｗｅｂページへのアクセス回数をカウントすること、を特徴とする請求項３６記載の個人情報管理方法。
【請求項３８】
前記レスポンスカウントステップは、ユーザによる前記広告Ｗｅｂページにおける商品またはサービスの購入について、該商品またはサービスに設定された所定のポイントをカウントすること、を特徴とする請求項３６または３７に記載の個人情報管理方法。
【請求項３９】
前記データセンターにおいて、ユーザに対するＩＤやパスワードを発行し会員登録を行う会員登録ステップと、
前記データセンターにおいて、ユーザによるアクセスの際、前記ＩＤやパスワードによるユーザ認証を行う認証ステップと、をさらに有すること、を特徴とする請求項９から３８のいずれか１項に記載の個人情報管理方法。
【請求項４０】
前記携帯電話端末および前記データセンターにおいて記憶される前記個人情報は、電子メールアドレスを含むこと、を特徴とする請求項９から３９のいずれか１項に記載の個人情報管理方法。
【請求項４１】
前記携帯電話端末および前記データセンターにおいて記憶される前記個人情報は、ＨＰアドレス（ＵＲＬ）を含むこと、を特徴とする請求項９から４０のいずれか１項に記載の個人情報管理方法。
【請求項４２】
前記携帯電話端末および前記データセンターにおいて記憶される前記個人情報は、ＩＰアドレスを含むこと、を特徴とする請求項９から４１のいずれか１項に記載の個人情報管理方法。
【請求項４３】
前記携帯電話端末および前記データセンターにおいて記憶される前記個人情報は、音楽データや画像データを含むこと、を特徴とする請求項９から４２のいずれか１項に記載の個人情報管理方法。
【発明の詳細な説明】
【０００１】
【発明の属する技術分野】
本発明は、携帯電話機などの携帯型情報端末に記憶されている電話番号などの個人情報を管理する個人情報管理システムおよび方法に関する。
【０００２】
【従来の技術】
従来、携帯電話機や携帯型情報端末（ＰＤＡやノートＰＣなどを含む）などでは、他者（および自身）の、氏名、電話番号、電子メールアドレスなどの個人情報を記憶する機能（「電話帳」「アドレス帳」などと称されることが多い）を有するものが普通である。特に電話番号や電子メールアドレスなどは、各通信端末と通信を行うための識別子（ＩＤ）であるので、その情報を適切に管理することは重要なことである。
【０００３】
また、メディアの多様化に伴い、ユーザが管理を必要とする個人情報の種類は増大している。コンピュータ上で個人情報をまとめて管理することは、一般的にＰＩＭ（Personal Information Manegement ）などと称され、例えば、アドレス帳やスケジュール表などのデータをコンピュータ上でまとめて管理することにより、ユーザは、それを自由に閲覧し、編集を加えることができる。
【０００４】
今般、携帯電話回線やインターネットにおいては、普及率のアップに伴い、提供事業者の増加、サービスの競争激化、新機能に対応した製品の投入などにより、対応する電話番号や電子メールアドレスなどの識別子（ＩＤ）が変更になる機会が多くなるにも係らず、携帯電話番号などの変更を通知するサービスがないため、個人においては、友人、家族、サークルなど、法人においては、社内関係者、取引先など、全てに連絡するために、多大な手間と費用が必要となっている。また、連絡を怠り、相手先より連絡が取れず、問題を生ずることも考えられる。
【０００５】
なお、有線における一般加入電話回線においては、引越しなどで電話番号が変更になった場合、ＮＴＴなどの音声サービスにおいて、誰に対しても無条件に新番号の通知を行っている。変更前の番号に電話をかけた人は、その音声サービスを聞くことで、初めて電話番号が変わったことを認識し、その音声案内に従い、再度電話をかけなおす必要があり、無駄な通話が発生していた。
【０００６】
各自が所有する携帯電話機のメモリ（＝電話番号を含む各種個人情報などの記憶手段。以下、「メモリ」と表記）は独立して存在しており、内容の共有はできない。また、情報を登録・変更する際は、携帯電話のキー（ＰＣに接続できる場合はＰＣのキー）を用いて手動入力しなければならない。また、電話機の紛失や故障が生じた場合、メモリに登録されている内容を再生できず、コミュニケーションや取引の手段を失う可能性がある。
【０００７】
メモリに登録する個人情報としては、例えば、氏名、住所、会社名、携帯電話の電話番号、固定電話の電話番号、携帯電話用メールのメールアドレス、ＰＣ用メールアドレス、ＨＰアドレス（ＵＲＬ）、ＦＡＸ番号、ページャ番号など、さらにはメモリに余裕がある場合、年齢、生年月日、血液型、趣味嗜好、過去の通信履歴、壁紙データ、写真などの画像データ、着メロ（着信メロディデータ）、など、種々の情報が考えられる。
【０００８】
特開２０００−７８３１３号公報によると、携帯電話機のメモリ内の電話帳に記憶された電話番号の変更を容易に通知することを企図する携帯端末の発明が記載されている。しかし、この発明によれば、電話番号の変更を通知するメッセージに、変更を示すキャラクタを付加する必要があり、また、そのキャラクタを認識する手段が必要となる。それらの機能は現在の携帯電話には存在せず、製造するメーカ、またはそれらをまとめるキャリアに頼らざるを得ないため実現することが難しい。また、それらの機能が付加されていない携帯電話の場合や、メモリ内に一般加入電話系の電話番号が記憶されている場合、変更の通知を行うことができない。
【０００９】
特開２０００−３３２８３４号公報によると、メモリ内の電話帳の登録作業に関する発明が記載されている。この発明は、登録会社のサーバ内にユーザの電話帳エリアを保有し、そのエリアに対して、他のＷｅｂ（ホームページを開設している個人／業者など）上に記憶されている電話番号の登録を行うものである。携帯電話やパーソナルコンピュータから上記エリアにアクセスし、登録、更新などの作業は行えるが、その変更に対する通知などを行うものではない。
【００１０】
特開２０００−１９６７７１号公報に記載の発明は、ＬＡＮなどのネットワークを介して接続されたグループの各ユーザのパーソナルコンピュータに保存された電話帳をサーバにて集中管理し、登録・検索・更新などを行うことを企図する発明である。この発明は携帯電話機に関するものではない。
【００１１】
特開２０００−２０１３７５号公報に記載の発明は、個人情報登録メモリを備える携帯電話において、通話相手の情報を自動的にメモリに登録するものであるが、個人情報を変更した場合、その変更通知はユーザが行う必要がある。
【００１２】
特開２０００−２８６９４８号公報には、携帯電話やＰＨＳにおいて、変更された電話番号を自動的に携帯電話内のメモリに登録する発明が記載されている。しかし、この発明は、携帯電話交換機に、新旧の電話番号の対応テーブルを設け、旧電話番号への接続要求を新電話番号へ転送する機能と、旧電話番号にアクセスしてきたユーザの携帯電話メモリ内の旧電話番号を自動的に変更する機能と、を備えるものであり、あくまでも携帯電話交換機において処理を行うものである。
【００１３】
特開２０００−３２２４４０号公報に記載の発明は、名刺などに記載されている個人情報を情報処理装置にてまとめて登録・管理することを企図する発明である。
【００１４】
特開平１０−９１５１２号公報に記載の発明は、インターネットのホームページや電子メールのアドレスの変更に関するものであり、サーバに新旧のアドレスの対応テーブルを用意することにより、アドレスの変更があった場合でも、変更を意識することなくアクセス可能にすることを企図するものである。
【００１５】
【発明が解決しようとする課題】
本発明は、かかる問題点に鑑みてなされたものであり、携帯電話端末のメモリ内の個人情報データを有効に管理し利用する個人情報管理システムを提供することを第１の目的とする。
【００１６】
また、個人情報（特に自身の識別子情報）にユーザが変更（更新）を行った場合に、変更内容を所定のユーザに対し自動的に通知することにより、ユーザが変更通知を行う手間をなくすこと、および、ユーザが他のユーザの電話番号などの変更を即座に認識できることを実現する個人情報管理システムを提供することを第２の目的とする。
【００１７】
また、保管された個人情報に対する問い合わせ用のＷｅｂページまたは電話サービスなどを設けることにより、ユーザに対し個人情報に関する問い合わせの手段を提供する個人情報管理システムを提供することを第３の目的とする。
【００１８】
また、広告主や情報提供業者から各種広告データなどを登録してもらい、ユーザの個人情報データと照らし合わせて広告データなどを選択・抽出し、ユーザのニーズに応じた広告情報などを配信することを第４の目的とする。
【００１９】
【課題を解決するための手段】
かかる目的を達成するために、請求項１記載の発明は、個人情報を記憶する記憶手段を有する携帯電話端末と、携帯電話端末に接続可能なデータ転送装置と、インターネットに接続され、データ転送装置を接続可能であり、データ転送装置を介して接続された携帯電話端末の記憶手段との間でのデータ転送を制御する転送制御手段を有する情報処理装置と、インターネットに接続され、外部とのデータの送受を行うサーバと、ユーザの個人情報データを保管するためのデータベースと、を有するデータセンターと、を有し、情報処理装置は、オペレータの入力に基づき転送制御手段により、データ転送装置を介して接続された携帯電話端末の記憶手段から個人情報データを読み出し、個人情報データをインターネットを介してデータセンターに送信し、データセンターにおいて、サーバは、情報処理装置より個人情報データを受信すると、個人情報データをデータベースに所定の形式で保管し、情報処理装置は、オペレータの入力に基づきデータセンターに対し携帯電話端末に対応する個人情報データを要求し、データセンターにおいて、サーバは、情報処理装置の要求に基づいて、該当する個人情報データをデータベースより取り出し、インターネットを介して情報処理装置に送信し、情報処理装置は、データセンターより受信した該当する個人情報データを、転送制御手段により、データ転送装置を介して接続された携帯電話端末の記憶手段に対し書き込み、データセンターは、携帯電話端末（商品）の購入申し込み手続きを受け付ける購入Ｗｅｂページを外部端末に対し提供するＷｅｂサーバをさらに有し、情報処理装置は、Ｗｅｂサーバより商品の注文情報を受けて商品管理を行う注文情報受信手段をさらに有し、データセンターは、購入Ｗｅｂページにおいてユーザより携帯電話端末（商品）の購入申し込みを受けた場合、ユーザの個人情報データがデータベースに保管されている場合、個人情報データを商品の注文情報とともに情報処理装置の注文情報受信手段に送信し、情報処理装置は、注文情報受信手段において個人情報データおよび注文情報を受信すると、データ転送装置を介して接続された、ユーザが購入申し込みを行った携帯電話端末（商品）の有する前記記憶手段に対し、受信した個人情報データを転送制御手段により書き込むことを特徴としている。
【００２０】
請求項２記載の発明は、個人情報を記憶する記憶手段と、第１Ｉ／Ｏインターフェースと、を有する携帯電話端末と、携帯電話端末の第１Ｉ／Ｏインターフェースに接続可能であり、記憶手段に記憶されているデータを外部装置へ読み出す際または記憶手段に対し外部装置よりデータを書き込む際の転送インターフェースとなるデータ転送装置と、データ転送装置を接続可能な第２Ｉ／Ｏインターフェースと、第２Ｉ／Ｏインターフェースに接続されたデータ転送装置を介した携帯電話端末との間のデータ転送の制御を行う転送制御手段と、インターネットを介してデータ通信を行う第１データ通信手段と、を有する情報処理装置と、インターネットを介してデータ通信を行う第２データ通信手段と、インターネットを介して受信した個人情報データをユーザ別に所定の形式でデータベースに保管するＤＢサーバと、を有するデータセンターと、を有し、情報処理装置は、オペレータによる入力に応じて、データ転送装置を介して接続された携帯電話端末の記憶手段から、転送制御手段により、個人情報データを読み出し、個人情報データを、第１データ通信手段によりデータセンターに送信し、データセンターは、第２データ通信手段により、情報処理装置より送信された個人情報データを受信し、個人情報データをＤＢサーバに送信し、ＤＢサーバは個人情報データを受信してデータベースにおいて保管し、情報処理装置は、オペレータによる入力に応じて、第１データ通信手段によりデータセンターに対し個人情報データを要求し、データセンターは、第２通信手段により要求を取得し、ＤＢサーバにおいて要求に応じて該当する個人情報データをデータベースより抽出し、抽出された個人情報データを第２データ通信手段により情報処理装置に送信し、情報処理装置は、第１データ通信手段によりデータセンターより受信した該当する個人情報データを、転送制御手段により、データ転送装置を介して接続された携帯電話端末の記憶手段に書き込み、データセンターは、携帯電話端末（商品）の購入申し込み手続きを受け付ける購入Ｗｅｂページを外部端末に対し提供するＷｅｂサーバをさらに有し、情報処理装置は、Ｗｅｂサーバより商品の注文情報を受けて商品管理を行う注文情報受信手段をさらに有し、データセンターは、購入Ｗｅｂページにおいてユーザより携帯電話端末（商品）の購入申し込みを受けた場合、ユーザの個人情報データがデータベースに保管されている場合、個人情報データを商品の注文情報とともに情報処理装置の注文情報受信手段に送信し、情報処理装置は、注文情報受信手段において個人情報データおよび注文情報を受信すると、データ転送装置を介して接続された、ユーザが購入申し込みを行った携帯電話端末（商品）の有する前記記憶手段に対し、受信した個人情報データを転送制御手段により書き込むことを特徴としている。
【００２１】
請求項３記載の発明は、請求項１または２に記載の発明において、情報処理装置は、個人情報データを所定の形式で表示する表示手段と、個人情報データをオペレータによる入力に応じて編集する編集手段とをさらに有することを特徴としている。
【００２２】
請求項４記載の発明は、請求項１から３のいずれか１項に記載の発明において、情報処理装置は、個人情報データを所定の形式で表示する表示手段と、個人情報データをオペレータによる入力に応じて編集する編集手段とをさらに有することを特徴としている。
【００２３】
請求項５記載の発明は、請求項１から４のいずれか１項に記載の発明において、データセンターは、データベースに保管することができる個人情報データをアドレス帳形式で新規登録を受け付けるＷｅｂページを提供するＷｅｂサーバをさらに有することを特徴としている。
【００２４】
請求項６記載の発明は、請求項１から５のいずれか１項に記載の発明において、情報処理装置は、Ｗｅｂブラウザ手段をさらに有し、データセンターは、データベースに保管されている個人情報データのアドレス帳形式での表示・編集を受け付けるＷｅｂページを提供するＷｅｂサーバをさらに有することを特徴としている。
【００２５】
請求項７記載の発明は、請求項６記載の発明において、Ｗｅｂサーバは、外部端末から、データベースへの個人情報データの転送登録およびアップロードと、外部端末への個人情報データのダウンロードと、を受け付けるＷｅｂページをさらに有することを特徴としている。
【００２６】
請求項８記載の発明は、請求項１から７のいずれか１項に記載の発明において、データ転送装置は、無線インターフェースであることを特徴としている。
【００７３】
請求項９記載の発明は、個人情報を記憶する記憶手段を有する携帯電話端末と、インターネットを介してデータ通信を行うデータ通信手段と商品（個人情報を記憶する記憶手段を有する携帯電話機）の受注を行う受注手段とを有する情報処理装置と、携帯電話端末と情報処理装置とを接続するインターフェース装置と、インターネットに接続され、商品（携帯電話機）の購入申し込み手続きを受け付けるＷｅｂページを有するＷｅｂサーバと個人情報を保管するデータベースとを有するデータセンターと、を有するシステムに関する個人情報管理方法であって、情報処理装置がインターフェース装置を介して情報処理装置と接続された携帯電話端末の記憶手段から個人情報データを読み出すステップと、情報処理装置において、記憶手段から読み出された個人情報データを、データ通信手段により送信してデータセンターのデータベースに保管するステップと、ユーザがＷｅｂブラウザ手段を有する端末により購入申し込みＷｅｂページにアクセスして携帯電話機の購入申し込みを行うステップと、データセンターにおいて、ユーザによる申し込みに応じて、データベースに個人情報が保管されている場合、情報処理装置の受注手段に対し、注文情報と、個人情報と、を送信するステップと、情報処理装置が、データセンターより注文情報と個人情報とを受信し、インターフェース装置により接続されたユーザが申し込み手続きを行った新規契約する携帯電話機の有する記憶手段に対し、データセンターより受信した個人情報を書き込むステップと、を有することを特徴としている。
【００７４】
請求項１０記載の発明は、請求項９記載の発明において、公衆電話回線網に接続された音声応答装置が、ユーザの電話端末からのダイヤルアップに対して接続され、電話端末に対し、音声ガイダンス手段により所定の操作ガイダンスを行い、電話端末よりプッシュボタン信号または音声による個人情報の入力を受け付け、入力信号をテキストデータに変換して、データをデータベースの該当するユーザの個人情報データに格納するステップをさらに有することを特徴としている。
【００７５】
請求項１１記載の発明は、請求項９または１０に記載の発明において、データセンターにおいて、データベースに保管されている個人情報の内容が更新された場合、個人情報に記録されているユーザの連絡先に対し個人情報の変更内容を通知する通知ステップ、をさらに有することを特徴としている。
【００７６】
請求項１２記載の発明は、請求項１１記載の発明において、通知ステップは、予め通知を許可設定されたユーザに対し変更内容の通知を行うことを特徴としている。
【００７７】
請求項１３記載の発明は、請求項１１または１２に記載の発明において、通知ステップは、個人情報において電子メールアドレスが記録されているユーザについて、変更内容を記載した電子メールを作成し、電子メールを、電子メールアドレスに対し送信することを特徴としている。
【００７８】
請求項１４記載の発明は、請求項１１から１３のいずれか１項に記載の発明において、通知ステップは、変更内容の通知を、該当するユーザに対し提供するＷｅｂページ上に変更内容を所定の形式で表示することにより行うことを特徴としている。
【００７９】
請求項１５記載の発明は、請求項１１から１４のいずれか１項に記載の発明において、通知ステップは、アドレス帳において電話番号が記録されている各ユーザについて、音声応答装置により、個人情報の変更内容を含む音声メッセージを作成して、通知対象ユーザの電話番号にダイヤルアップし、音声メッセージを所定の応答手順に従って送信することにより通知することを特徴としている。
【００８０】
請求項１６記載の発明は、請求項１５記載の発明において、通知ステップは、変更内容を通知後、通知相手に対し、変更内容を確認したか否かの応答をプッシュボタン信号により入力するよう音声ガイダンスし、確認を示すプッシュボタン信号を受信すると、データセンターに対し確認取得を示す信号を送信し、データセンターは、確認取得信号を受信すると、個人情報の更新を行ったユーザに対し、該当通知相手より通知確認を取得済みであることを通知することを特徴としている。
【００８１】
請求項１７記載の発明は、請求項１３から１６のいずれか１項に記載の発明において、変更内容を通知したユーザに対し通知確認応答を要求する通知確認取得ステップと、通知確認取得ステップにおいて、変更内容を通知したユーザより通知確認応答を取得した場合、個人情報を更新したユーザに対し、変更内容を通知したユーザより通知確認応答を取得したことを通知する確認済み通知ステップと、をさらに有することを特徴としている。
【００８２】
請求項１８記載の発明は、請求項９から１７のいずれか１項に記載の発明において、データセンターにおいて、ユーザ端末のアクセスに応じて個人情報の変更内容についての検索を受け付ける検索Ｗｅｂページを送信し、ユーザ端末より検索条件の入力を受け付け、検索条件を受信し、検索条件に基づきデータベースを検索し、該当するユーザの個人情報データを抽出し、検索を実行したユーザが、抽出されたユーザにより変更内容の通知を許可されている場合、抽出された個人情報データの該当する変更内容を検索Ｗｅｂページ上に表示するＷｅｂ検索ステップをさらに有することを特徴としている。
【００８３】
請求項１９記載の発明は、請求項１８記載の発明において、Ｗｅｂ検索ステップは、検索を実行したユーザに対する変更内容の通知が許可されていない場合、検索Ｗｅｂページ上にＮＧメッセージを表示し、抽出されたユーザに対し、検索を実行したユーザより個人情報の問い合わせがあったことを通知することを特徴としている。
【００８４】
請求項２０記載の発明は、請求項１９記載の発明において、Ｗｅｂ検索ステップは、抽出されたユーザに対し、検索を実行したユーザより個人情報の問い合わせがあったことを通知する際、検索を実行したユーザに対して変更内容を通知するか否かの確認応答を要求し、抽出されたユーザより、変更内容を通知することを示す応答を取得した場合、検索を実行したユーザに対し変更内容の通知を行うことを特徴としている。
【００８５】
請求項２１記載の発明は、請求項１８から２０のいずれか１項に記載の発明において、Ｗｅｂ検索ステップにおいて、Ｗｅｂページは、Ｗｅｂブラウザ手段を有する携帯電話端末に対応する形式であることを特徴としている。
【００８６】
請求項２２記載の発明は、請求項９から２１のいずれか１項に記載の発明において、音声応答装置がユーザの電話端末からのダイヤルアップに対して接続され、音声ガイダンス手段による所定の操作ガイダンスを行って、電話端末よりプッシュボタン信号または音声による検索条件の入力を受け付け、入力信号をテキストデータに変換して検索条件データとして、ＤＢサーバに送信する問い合わせ受付ステップと、ＤＢサーバが、音声応答装置より検索条件を受信して検索条件データに基づきデータベースを検索して該当するユーザの個人情報データを抽出し、問い合わせを実行したユーザが変更内容の通知を許可されている場合、抽出された個人情報の内の該当する変更内容データを音声応答装置に送信する検索ステップと、音声応答装置が、ＤＢサーバより変更内容データを受信して、変更内容データを音声メッセージデータに変換し、音声メッセージデータを音声ガイダンス手段によりユーザの電話端末に対し送信する回答ステップと、をさらに有することを特徴としている。
【００８７】
請求項２３記載の発明は、請求項９から２２のいずれか１項に記載の発明において、データセンターにおいて、個人情報の変更内容に関する検索条件を含む問い合わせの電子メールを受信して、電子メールを解析して検索条件を抽出するメール解析ステップと、ＤＢサーバにより、検索条件に基づきデータベースより該当するユーザの個人情報データを抽出し、メール作成手段により、抽出された個人情報データの該当する変更内容データを記載した変更内容通知メールを作成し、変更内容通知メールをメールサーバにより問い合わせの電子メールの送信者に対して送信する回答メール送信ステップと、をさらに有することを特徴としている。
【００８８】
請求項２４記載の発明は、請求項１１から２３のいずれか１項に記載の発明において、データセンターにおいて、個人情報の項目の内で変更通知の対象となる項目を設定する通知項目設定ステップをさらに有することを特徴としている。
【００８９】
請求項２５記載の発明は、請求項１１から２４のいずれか１項に記載の発明において、データセンターにおいて、変更内容の通知を行う一以上の方法（電話／電子メール／携帯電話用電子メール／Ｗｅｂページなど）の内どれを使用するかおよびその優先使用順位を設定する通知方法設定ステップ、をさらに有することを特徴としている。
【００９０】
請求項２６記載の発明は、請求項９から２５のいずれか１項に記載の発明において、データセンターにおいてユーザ別に保管される個人情報データをアドレス帳と呼ぶことにすると、データセンターにおいて、複数のユーザの個人情報データを一つのアドレス帳において保管して、アドレス帳を共有アドレス帳として複数のユーザで共有使用する設定を行う第１グループ設定ステップをさらに有することを特徴としている。
【００９１】
請求項２７記載の発明は、請求項２６記載の発明において、データセンターにおいて、共有アドレス帳に対する編集を許可するユーザを設定する編集権設定ステップをさらに有することを特徴としている。
【００９２】
請求項２８記載の発明は、請求項９から２７のいずれか１項に記載の発明において、データセンターにおける個人情報データの保管形式および記憶領域をアドレス帳と呼ぶことにすると、データセンターにおいて、複数のユーザのアドレス帳をリンクさせ、互いに閲覧可能にする設定を行う第２グループ設定ステップ、をさらに有することを特徴としている。
【００９３】
請求項２９記載の発明は、請求項９から２８のいずれか１項に記載の発明において、データセンターにおける個人情報データのユーザごとの保管形式および記憶領域をアドレス帳と呼ぶことにすると、データセンターにおいて、あるユーザのアドレス帳に更新があった場合、ユーザのアドレス帳に記録されているユーザの個人情報データの内、アドレス帳の更新内容に対応する部分を自動的に更新する自動更新処理を行う対象となるユーザグループを設定する第３グループ設定ステップと、第３グループ設定ステップにおいて設定されたグループに対し、自動更新処理を行うステップと、をさらに有することを特徴としている。
【００９４】
請求項３０記載の発明は、請求項９から２９のいずれか１項に記載の発明において、データセンターにおいて、広告データをデータベースに登録して管理する広告登録ステップと、ＤＢサーバにより、所定の検索条件に基づき個人情報データあるいは広告データを検索し、個人情報データに対応した広告データを選択する広告選択ステップと、広告選択ステップにおいて選択された広告データを該当するユーザに対し配信する広告配信ステップと、をさらに有することを特徴としている。
【００９５】
請求項３１記載の発明は、請求項３０記載の発明において、広告登録ステップにおいて登録される広告データは、Ｗｅｂページにおいて配信する形式のデータを含み、広告配信ステップは、広告選択ステップにおいて選択された広告データを該当するユーザに対し提供するＷｅｂページ上に表示することを特徴としている。
【００９６】
請求項３２記載の発明は、請求項３０または３１に記載の発明において、広告登録ステップにおいて登録される広告データは、電子メールに記載する形式のデータを含み、広告配信ステップは、広告選択ステップにおいて選択された広告データをその内容に含む電子メールを作成し、該当するユーザの電子メールアドレスに対し送信することを特徴としている。
【００９７】
請求項３３記載の発明は、請求項３０から３２のいずれか１項に記載の発明において、広告登録ステップにおいて登録される広告データは、ＵＲＬを含み、広告データの提供者の提供する広告Ｗｅｂページとリンクすることを特徴としている。
【００９８】
請求項３４記載の発明は、請求項２８から３３のいずれか１項に記載の発明において、データセンターにおいて、各ユーザについて、ユーザに対する広告の配信を許可するか否かの設定を行う広告配信設定ステップをさらにを有することを特徴としている。
【００９９】
請求項３５記載の発明は、請求項２８から３４のいずれか１項に記載の発明において、データセンターにおいて、各ユーザについて、配信を許可する広告の種類を設定する広告種類設定ステップ、をさらに有することを特徴としている。
【０１００】
請求項３６記載の発明は、請求項２８から３５のいずれか１項に記載の発明において、データセンターにおいて、ユーザに対し配信する広告データに対するユーザのレスポンスをカウントするレスポンスカウントステップと、レスポンスカウントステップによるカウント数に応じてユーザに対し所定のサービスの利用料の割引を行う割引ステップと、を有することを特徴としている。
【０１０１】
請求項記３７の発明は、請求項３６記載の発明において、レスポンスカウントステップは、ユーザによる広告Ｗｅｂページへのアクセス回数をカウントすることを特徴としている。
【０１０２】
請求項３８記載の発明は、請求項３６または３７に記載の発明において、レスポンスカウントステップは、ユーザによる広告Ｗｅｂページにおける商品またはサービスの購入について、商品またはサービスに設定された所定のポイントをカウントすることを特徴としている。
【０１０３】
請求項３９記載の発明は、請求９から３８のいずれか１項に記載の発明において、データセンターにおいて、ユーザに対するＩＤやパスワードを発行し会員登録を行う会員登録ステップと、データセンターにおいて、ユーザによるアクセスの際、ＩＤやパスワードによるユーザ認証を行う認証ステップと、をさらに有することを特徴としている。
【０１０４】
請求項４０記載の発明は、請求項９から３９のいずれか１項に記載の発明において、携帯電話端末およびデータセンターにおいて記憶される個人情報は、電子メールアドレスを含むことを特徴としている。
【０１０５】
請求項４１記載の発明は、請求項９から４０のいずれか１項に記載の発明において、携帯電話端末およびデータセンターにおいて記憶される個人情報は、ＨＰアドレス（ＵＲＬ）を含むことを特徴としている。
【０１０６】
請求項４２記載の発明は、請求項９から４１のいずれか１項に記載の発明において、携帯電話端末およびデータセンターにおいて記憶される個人情報は、ＩＰアドレスを含むことを特徴としている。
【０１０７】
請求項４３記載の発明は、請求項９から４２のいずれか１項に記載の発明において、携帯電話端末およびデータセンターにおいて記憶される個人情報は、音楽データや画像データを含むことを特徴としている。
【０１０８】
【発明の実施の形態】
以下、本発明の実施の形態を添付図面を参照しながら詳細に説明する。
【０１０９】
図１は、本発明の実施の形態における個人情報管理システムの構成図である。移動体交換網（携帯電話網）１０１、一般加入電話回線（固定電話回線）１０２は、公知である。データセンターＣは、既存の携帯電話事業者もしくはそれと独立の事業者などである。
【０１１０】
携帯電話１１、１２、３１は、音声通信機能に加え、電話番号などの個人情報を記憶する記憶手段を有する。ここで、この記憶手段とは個人情報の登録手段や変更手段、表示手段などを含むものである。また、データ通信機能（文字メッセージの送受機能＝「携帯電話用メール機能」、また、画像データや音声データ（着信メロディーデータなど）の送受機能）や、Ｗｅｂアクセス機能（＝Ｗｅｂブラウザ機能。対応するＷｅｂサイトにアクセスしページを表示する）などを有していてもよい。
【０１１１】
ここで、メモリに記憶する個人情報データとしては、前述のように様々な情報が考えられるが、特に、自身の電話番号（携帯電話番号、自宅番号、勤務先番号など複数）や携帯電話用メールアドレス、ＰＣ用電子メールアドレス、ＨＰアドレス（ＵＲＬ）、ＦＡＸ番号などは変更の際に変更通知を行う必要のある対象である。
【０１１２】
なお、本発明の個人情報管理システムは、主に、個人情報を記憶するメモリ機能を有する携帯電話端末をその対象に含むものであるが、広くは携帯型情報端末（モバイル端末）を対象とするものである。
【０１１３】
利用者Ａは、解約する携帯電話１１と、新規契約する携帯電話１２と、を所有する。また、利用者Ａまたは店頭などでは、メモリ転送装置２１および情報処理装置２２を有し、メモリ転送装置２１を介して携帯電話１１または１２を情報処理装置２２に接続し、携帯電話のメモリに記憶された電話番号などの個人情報データを電子的に吸い上げる（読み出す）処理や、逆にメモリにデータを書き込む処理を行う。また、情報処理装置２２は、読み込んだデータを処理し、ネットワークを介してデータセンターＣへ送出する処理、データ内容を手動入力（キーボード入力）により編集する処理などを行う。
【０１１４】
メモリ転送装置２１は、携帯電話１１、１２と情報処理装置２２とのインターフェースであり、レベル変換などのケーブルを用いて行うもの、また、赤外線などを用いて携帯電話機と情報処理装置２２とを無線接続するものなどである。また、ソフトウェア的な処理は、携帯電話１１、１２側で行っても、情報処理装置２２側で行ってもよい。また、情報処理装置２２は、ユーザ自宅、会社、店頭、街頭のキオスク端末などどこにあってもよく、ユーザは、各情報処理装置において個人情報データを表示し、必要に応じて閲覧・編集を行うことができる。また、情報処理装置２２の機能を携帯電話機に内蔵する構成でもよい。
【０１１５】
なお、ＩＭＴ−２０００（ＩＴＵが標準化を進める、２ＧＨｚ帯の周波数を使用するマルチメディア通信対応の第３世代デジタル移動通信規格。グローバルＩＰルーティング機能を含む。）以降、メモリ転送装置２１の機能が携帯電話機本体または情報処理装置に内蔵される構成が考えられることを考慮している。
【０１１６】
利用者Ｂは、携帯電話３１、一般加入電話３２を所有する。携帯電話３１および一般加入電話３２の電話番号を含む利用者Ｂについての情報は、利用者Ａの所有する携帯電話１１、１２のメモリに記憶されている。また、利用者Ａの情報は、利用者Ｂの携帯電話３１のメモリに記憶されている。
【０１１７】
また、利用者Ｂに対しては、後述するデータセンターＣから利用者Ａに関する個人情報の変更通知が電子メールや音声案内（電話）などにより届く。また、利用者Ｂより、データセンターＣに対してＷｅｂや電話サービス（後述する音声応答装置４３による音声ガイダンス）を用いて個人情報に関する問い合わせを行うことができる。
【０１１８】
一般加入電話３２は、音声通信機能のみのもの、ＦＡＸ機能を有するもの、Ｗｅｂアクセス機能を有しインターネットに接続できるものなどである。
【０１１９】
データセンターＣにおいて、サーバ群４１は、情報処理装置２２や携帯電話端末などと通信し、ユーザの個人情報データの保管、データベース４２の管理、各種Ｗｅｂページの管理、電子メールの管理、ユーザ認証などを行う。データベース４２には、情報処理装置２２や携帯電話端末などより送信されたユーザの個人情報データが所定の形式で保管される。
【０１２０】
音声応答装置４３は、一般加入電話回線網１０１の制御を行うモデム機能を有し、ユーザからの一般加入電話および携帯電話によるアクセスに対し、自動音声ガイダンスにて応答し、データセンターＣに登録されている電話番号などの個人情報に関する問い合わせ（変更後の連絡先を知りたいなど）を受け付ける機能を有する。また、音声認識やＰＢ信号により個人情報データを受信し、データセンターＣに転送してデータベース内の該当するユーザ個人情報データに登録（更新）する機能を有する。また、データセンターＣにおいて個人情報データにユーザが更新を行った場合、所定のユーザに対し音声ガイダンスにて変更通知を行う機能を有する。
【０１２１】
なお、音声応答装置４３は、データセンターＣ内に設置されるとは限らず、ネットワークを介した別の場所に設置され、必要に応じてデータセンターＣとデータの授受を行う構成にしてもよい。
【０１２２】
広告主Ｄは、情報処理装置５１などを用いて広告用のデータなどをデータセンターＣに登録する。データセンターＣは、広告主Ｄの提供するデータをデータベースに登録し、ユーザの個人情報データと照らし合わせ、ユーザのニーズに応じた広告データを選択・抽出して配信を行う（Ｗｅｂページ上にバナー広告を表示する、広告メールを配信するなど）。
【０１２３】
図２を参照し、データセンターＣおよび音声応答装置４３の構成を説明する。音声応答装置４３は、ユーザからの個人情報に関する問い合わせアクセスに対しては、自動音声ガイダンスにてユーザに対し選択メニューを提示するなどし、ユーザから入力されるＰＢ信号を認識し、その信号に応じて、サーバ群４１に対し所定の検索作業などを行うように指示する。処理結果をサーバ群４１より受け取り、音声データに変換してユーザに対し回答する。また、個人情報の変更（更新）を通知する場合、データセンターＣより必要なデータ（通知先の電話番号、変更内容など）を受信し、音声データに変換してユーザに対しダイヤルアップして通知する。
【０１２４】
ルータ２０３は、音声応答装置４３またはインターネットを介した外部との接続ポイントとして、また、セキュリティの役目として用いられる。
【０１２５】
サーバ群４１において、Ｗｅｂマネジメントサーバ２０４は、配下に接続されるサーバ（Ｗｅｂサーバ２０５、メールサーバ２０６、ＤＢサーバ２０７、認証サーバ２０８など）の稼動率を見ながら負荷を分散させるなどの処理を行う。
【０１２６】
Ｗｅｂサーバ２０５は、Ｗｅｂサーバアプリケーション（ＨＴＴＰｄ）や、必要なＣＧＩプログラムなどを有し、携帯電話端末のメモリデータ（個人情報）の登録・編集用Ｗｅｂページ（＝以下「アドレス帳ページ」と表記）や、個人情報に関する問い合わせ用Ｗｅｂページ、また、携帯電話機の購入申し込み用ＷｅｂページなどのＨＴＭＬファイルを管理し、ユーザのアクセスに応じてファイルを送信し、他のサーバと連携しながら応答処理を行う。
【０１２７】
また、Ｗｅｂサーバ２０５には、Ｗｅｂブラウザ機能を有する携帯電話端末に対応した問い合わせ用Ｗｅｂページなどを用意することが考えられる。
【０１２８】
メールサーバ２０６は、メールボックスなどを有し、所定のユーザ（本実施例では利用者Ｂ）に対する、電話番号などの変更通知などに関する電子メール（携帯電話用メールを含む）の送受信処理などを行う。
【０１２９】
ＤＢサーバ２０７は、データベース４２を管理するものであり、他のサーバからのデータベース４２の参照に対し応答する。データベース４２には、ユーザの携帯電話端末のメモリ機能に対応して、情報処理装置２２やユーザの携帯電話端末などより送信されたメモリ内の個人情報データが、ユーザ別の領域に、所定の形式で保管される。なお、本説明では個人情報の保管形式については限定しない。データセンターＣは、サービスの登録時、ユーザに対し、ユーザ毎の所定サイズの記憶領域を割り当てる。以下、このデータセンターＣにおけるユーザ別の個人情報管理領域あるいは管理ファイル、管理テーブルを「アドレス帳」と表記することにする。前述の「アドレス帳ページ」とは、このアドレス帳を編集するものである。
【０１３０】
このアドレス帳には携帯電話端末を所有するユーザ本人の情報（自局携帯電話番号、携帯電話用メール機能を有する場合は自局メールアドレスなど）を含めて記憶するようにし、情報に変更があった場合は、後述の方法で変更の通知が所定ユーザに対し行われる。
【０１３１】
ユーザは、前述のアドレス帳ページにアクセスすることにより、アドレス帳の編集を行うことができる。ＷｅｂアクセスはＷｅｂブラウザ機能を有する端末装置から行う。本実施例では情報処理装置２２より行うか、または、携帯電話端末１１、１２、３１などがＷｅｂブラウザ機能を有している場合、携帯電話端末より行う。その場合、編集・表示などの機能は携帯電話端末の仕様に依存する。
【０１３２】
アドレス帳には、前述のような各種個人情報を登録できるが、携帯電話端末のメモリ機能の仕様に対応する必要がある（サイズ、形式など）。登録できる項目（属性）はデータセンターＣ側が予め設定するか、もしくは、ユーザが項目名を設定できるような構成にする。また、変更の場合に通知を行う対象となる項目を設定する手段や、記憶されているユーザの内で通知を許可するユーザを設定する手段、通知をどの連絡先に対して行うかを設定する手段、などを必要に応じて設ける。
【０１３３】
ユーザは、情報処理装置２２およびネットワークを介して、携帯電話端末のメモリよりアドレス帳に対し新しい個人情報データをアップロードして保存内容を更新したり、また、アドレス帳より携帯電話端末のメモリに対しデータをダウンロードしたりする。なお、情報処理装置２２の機能を携帯電話端末に内蔵する場合、このようなアップロードやダウンロードをキー（ボタン）操作、メニュー操作により簡単に行えるようにする構成が考えられる。
【０１３４】
認証サーバ２０８は、個人情報データ変更時、問い合わせ時などにおいて、アクセスしてくるユーザの認証などを管理する。ユーザは、ＩＤやパスワードなどを入力することによりサービスを受けることができる。本発明において扱うデータは個人情報なので、セキュリティに配慮する必要があり、また、情報を開示する場合についてはユーザに対し予め確認を取る手段を設けるなどする。
【０１３５】
本発明の実施例の動作について、図３〜図１２を参照しながら詳細に説明する。まず、利用者Ａが、使用していた携帯電話を解約し、新しく別の携帯電話に契約するについて説明する（図３、図４参照）。ここで、新規携帯電話１２は、解約携帯電話１１と同一事業者の製品でも、異なる事業者の製品でもよく、本発明のシステムは、複数の事業者における製品の仕組みの相違を考慮して提供できることが望ましい。
【０１３６】
利用者Ａは、新規携帯電話１２を契約するに当り、通常、店頭にて契約書などに記入のうえ、個人が使用できる状態に登録され、現品を入手する。ここで、個人が使用できる状態とは、携帯電話事業者に使用が許可され、少なくとも自局の電話番号などが登録されていることである。
【０１３７】
図３において、ユーザは、店頭に足を運び、解約携帯電話１１を、メモリ転送装置２１を介して情報処理装置２２と有線または無線にて接続する。情報処理装置２２は、解約携帯電話１１のメモリに登録されている電話番号などの個人情報データを読み込む。必要がある場合、データを編集してから、データを新規契約携帯電話１２のメモリへ転送する。
【０１３８】
新規契約携帯電話１２にデータを転送する方法としては、メモリデータ読み込み時と同様に、情報処理装置２２に新規携帯電話１２を有線または無線により接続することで可能となる。
【０１３９】
情報処理装置２２は、読み込んだデータをネットワークを介してデータセンターＣに送信し、データセンターＣ内のデータベースに登録する。ユーザは、必要に応じて、データ通信手段（ここでは情報処理装置２２）を介して、登録されている個人情報データをダウンロードすることができるようになる。
【０１４０】
一方、インターネットの普及に伴い、Ｗｅｂ上で携帯電話の予約や購入ができるサイトが存在するが、現状では、契約手続きや上記メモリ登録などが理由で店頭に足を運ぶ必要がある。図４は、Ｗｅｂ上のページで携帯電話の購入申し込みを行う際の説明である。
【０１４１】
ユーザは、情報処理装置により携帯電話機の購入を受け付けるＷｅｂページへアクセスし、新しい携帯電話機の購入申し込みを行う。データセンターＣは、ユーザの申し込みを受けて店頭の情報処理装置に対し注文情報を送信する。ユーザは、自身の所有する情報処理装置（メモリデータ転送機能を有する）に解約する携帯電話を接続し、データを読み出す。読み出されたデータを、ネットワークを介してデータセンターＣに送信し、データベースに登録する（アップロード）。
【０１４２】
データセンターＣは、読み込んだデータを店頭の情報処理装置へ送信する。店頭の情報処理装置では新規契約する携帯電話機を接続し、メモリにデータを転送し、利用者Ａが現品を入手できる状態にする。利用者Ａは、メモリデータの転送を予め済ませた携帯電話を手にすることができる。
【０１４３】
なお、利用者Ａは、データセンターＣにメモリデータを登録しているため、店頭にてメモリデータの転送を行わずに物品（新規携帯電話）を入手してもよく、この場合、利用者Ａは、物品入手後、自分の所有する情報処理装置によりデータセンターＣにアクセスしてメモリデータをダウンロードする。
【０１４４】
次に、データセンターＣの役割および機能について詳細に説明する。前述のような過程に基づき携帯電話の予約または購入手続きを行ったユーザは会員として扱われ、データセンターＣにおいて、各自のアドレス帳領域が与えられる。また、各ユーザに対し、メモリデータ編集用のＷｅｂページ＝アドレス帳ページを提供する。ユーザは、Ｗｅｂブラウザ機能を有する各種端末よりこのＷｅｂページにアクセスし、容易にデータの登録、閲覧、変更、削除などの処理を行うことができる。データに変更を行った場合、後で携帯電話端末にダウンロードして反映させる。
【０１４５】
本発明では、利用者ＡがＷｅｂページ上で個人情報（特に自身の情報）に変更を加えると、データセンターＣは、変更された内容を、予め許可された指定先に通知する（図５、図６参照）。通知先設定の例としては、アドレス帳に登録されている電話番号または電子メールアドレス全体を対称とするもの、またはその中で任意に個別設定するもの、他の例としては、知らせたくない相手を任意に設定することもできる。メモリデータ管理領域（アドレス帳）には、変更通知を許可するか否かを設定するフラグを設けるなどする。
【０１４６】
また、前述のようにどの項目について通知を行うかを設定する通知項目設定手段を設けるとよい。電話番号や電子メールアドレスなどは通知項目に含まれるであろう。ユーザは、主には会員登録時に、通知相手・通知手段などの主要な設定を行うが、データセンターＣは、ユーザが随時、通知相手などの諸設定ができるような環境を用意する。
【０１４７】
変更を通知する方法の一つとして、電子メールに変更前と変更後の内容を表示して該当先に同報送信する方法がある。図５は、電子メールにより変更通知を行う場合の説明である（携帯電話用メールを含む）。
【０１４８】
変更内容を確認した利用者Ｂが、変更内容を確認した旨の応答処理（電子メールによる応答など）を行うと、変更確認済みである旨を示す情報がデータセンターＣに登録され、必要に応じて、利用者Ａに対し電子メールなどにて、利用者Ｂが変更確認済みである旨が通知される。
【０１４９】
別の通知方法として、図６のように、音声応答装置４３を用いて、変更内容を音声ガイダンスする方法もある。データセンターＣは、データ変更を受けた際、音声応答装置４３にアクセスし、変更内容と通知対象となるユーザの電話番号とを送信し、変更通知を依頼する。音声応答装置４３は、データを受信し、変更内容は音声データに変換して通知メッセージを作成し、一般加入電話または携帯電話の該当連絡先にダイヤルアップし、相手先のフックアップを確認し、一般加入電話または携帯電話にて聴取できるように変換された変更内容データを音声にて自動ガイダンスする。
【０１５０】
変更内容を確認した利用者Ｂが、応答処理（確認番号の入力など）を行うと、音声応答装置４３は、変更確認済みである旨を示す情報をデータセンターＣに送信し、データセンターＣではこの確認済み情報を受信し、必要に応じて、利用者Ａに対し電子メールなどにて利用者Ｂが変更確認済みである旨が通知される。
【０１５１】
また、通知対象ユーザが、データセンターＣに登録されている会員である場合は、各ユーザに対するアドレス帳ページ上に、変更があった旨の情報および変更内容を表示する方法が考えられる。
【０１５２】
上記により、利用者Ａが主導のもと、変更内容の自動通知、および通知終了の確認を行うことができる。
【０１５３】
次に、利用者Ｂが利用者Ａへ連絡を取ろうとする際に、利用者Ａの電話番号や電子メールアドレスなどが変更されており不通となる場合において、利用者Ａの電話番号などを問い合わせる方法について説明する（図７〜図１０参照）。ここでは電話番号の変更を例に採る。
【０１５４】
図７、図８は、Ｗｅｂページ上で問い合わせを行う際の説明図である。前述のように利用者ＡがＷｅｂ上などで個人情報に変更を加えると、データセンターＣには、変更された情報が登録される（変更前の情報も保存されている）。ここで利用者Ａは、変更を通知する宛先の設定をしていないものとする。すなわち、利用者Ｂは変更されたことを知らないため、以下の操作により変更内容を入手する。
【０１５５】
利用者Ｂは、利用者Ａの電話番号を確認するために、該当サイト（問い合わせ用Ｗｅｂページ）にアクセスする。利用者Ｂは、Ｗｅｂページ上でＩＤなどを入力して認証を得た後、利用者Ａの旧電話番号または旧電子メールアドレスなどの検索条件を入力し問い合わせを実行する。
【０１５６】
ＤＢサーバ２０７は、入力された検索条件に従いデータベースをサーチし、旧データ（変更前データ）に対応するユーザのアドレス帳をピックアップする。ピックアップされた利用者Ａのアドレス帳を参照し、問い合わせを実行した利用者Ｂが、利用者Ａによって変更内容通知が許可されているか否か確認し、許可されている場合、変更内容を抽出し、利用者Ｂに変更内容の表示を行う。
【０１５７】
また、通知が許可されていない場合、許可されていない旨を示すＮＧメッセージを表示するなどの対応をし、変更内容の表示は行わない。この場合、利用者Ａに対し、利用者Ｂより検索があったことを電子メールなどにより通知し利用者Ｂに対し通知を行うか否かを確認する。利用者Ａは、この通知を受けて電子メールなどにより通知を行うか否か応答する。データセンターＣは、利用者Ａよりこの応答を受け、通知を行う旨の応答である場合、あらためて利用者Ｂに対し変更内容の通知を行う。
【０１５８】
また、音声応答装置４３を利用して問い合わせに対応する方法がある（図９、図１０参照）。すなわち、利用者Ｂは、一般加入電話または携帯電話から問い合わせサービス番号にアクセスし、音声応答装置４３の操作ガイダンスに従い、問い合わせたい番号（検索条件）をＰＢ信号などを用いて入力すると、音声応答装置４３は、条件をデータセンターＣに照会し、データセンターＣは、通知が許可されているか否かを確認し、許可されている場合、検索結果である変更後の個人情報データを送信し、音声応答装置４３は変更後データを受信して音声データに変換して音声メッセージを作成し、利用者Ｂに対し回答する。通知が許可されていない場合、ＮＧメッセージを回答し、以下、Ｗｅｂページ上での問い合わせの場合と同様に、利用者Ａに対し、利用者Ｂより検索があった旨を通知し、通知を許可するか否か確認をとるなどの処理を行う。
【０１５９】
いずれの場合も、利用者Ｂが変更内容またはＮＧを確認後、応答処理（電子メール応答やキー操作、ＰＢ信号の入力など）を行うことにより確認済みである旨、また問い合わせがあった旨がデータセンターＣに登録され、必要に応じて、利用者Ａに対し電子メールや音声などにて通知され、さらに、あらためて通知を行うか否かの確認応答をとるなどする。また、この確認済み通知などを行わないように設定できるようにしてもよい。
【０１６０】
なお、上記音声応答装置４３については、データセンターＣのサーバ群４１とは別機能の装置として限定するものではなく、次世代における、携帯電話などを含めたＶｏＩＰ（Ｖoice over ＩＰ：インターネットプロトコルベースの音声通話規格。音声とデータの通信同時に実現する。）化を想定し、その機能自体をデータセンターＣ内のサーバに設け、各種端末に対し音声データとして、同様のサービスを提供してもよい。
【０１６１】
また、以上の個人情報管理・変更通知・問い合わせなどの機能は、電話機の購入などの契約に付加されるものとは限らず、該当サイトにアクセスして会員登録することによりサービスを受けることもできる。また、電話番号に限らず、電子メールアドレス、ＵＲＬ、ＩＰアドレス（ＶｏＩＰに対応して携帯電話端末に割り振られるアドレス）などでも、同様の機能を果たすものとする。
【０１６２】
その他の実施例を説明する。前述の実施例においては、ユーザ毎にアドレス帳が与えられ、セキュリティに守られていることを前提で説明してきたが、ここでは、データセンターＣにおけるアドレス帳を、複数会員＝グループにて共用する場合について、図１１、図１２を参照しながら説明する。グループとしては、各個人における友人、サークル、また、法人、組織など各種団体などが考えられる。データセンターＣは、ユーザに対し、グループを設定する手段を提供する。
【０１６３】
共有のアドレス帳には、そのアドレス帳の編集権（個人情報データの登録、変更などの編集を行う権利）を有するユーザを設定する手段を設けるようにする。以下、共有アドレス帳の編集権を有する端末を「マスタ端末」と称することとする。マスタ端末は、Ｗｅｂブラウザ手段など編集を行うための必要な機能を備えた端末であり、グループ内にて少なくとも１台以上存在する。
【０１６４】
図１１において、マスタ端末は、データセンターＣにアクセスし、共有アドレス帳ページを表示し、データの登録や変更を行う。データセンターＣは、変更があった旨の情報または変更内容をグループ員の各端末に電子メールなどにより通知する。各端末は、変更があった旨を受信した場合は、データセンターＣにアクセスし、変更内容をＷｅｂ上にて確認できる。
【０１６５】
なお、データセンターＣは、データ変更の都度、変更通知を行わなくとも、各端末は共有アドレス帳にアクセスする度に最新データを閲覧することができるため、変更通知を行わない設定にしてもよい。
【０１６６】
次に、グループ各員が個人のアドレス帳を有し、各アドレス帳がリンクしている例について説明する。前例と同様に、データセンターＣは、ユーザに対しグループを設定する手段を提供する。グループのメンバーのアドレス帳は互いに関係付けられ、各端末がアドレス帳データを更新すると、データセンターＣでは、他のグループ員のアドレス帳の該当箇所を自動更新する。つまり、ある端末の電話番号が更新されると、各グループ員のアドレス帳においてその端末の電話番号が登録されていた場合にはその番号も自動的に更新される。各端末より各自のアドレス帳にアクセスする度に最新情報に更新されているため、グループ員は特に更新を意識することなく最新データを入手できる。この例においても、変更を行った場合、通知を行ってもよいし、行わなくてもよい。
【０１６７】
次に、アドレス帳をグループウェア的に利用して、様々な情報を効果的に配信する仕組みについて説明する。
【０１６８】
例えば、グループウェアの特性を利用し、企業においては社内通知、サークルにおいては掲示板、友人においては集合時間の連絡を、本発明のＷｅｂページ上で、また電子メール通知の仕組みを利用して、行うことができる。さらに、グループの活動内容、キーワード、嗜好、特徴などを事前に登録しておき、データセンターＣにて判別することにより、グループ（※個人を対象とすることも可能）にとって有益な情報、広告などを提供することができる。
【０１６９】
情報を提供する事業者や広告主Ｄは、本サイトと契約の上、Ｗｅｂページ上または電子メール、携帯電話用メール上などに掲示する広告などの情報をデータセンターＣの広告用データベースに登録しておく。広告の形態はバナー広告（Ｗｅｂページ上に設け、クリックにより広告主のＷｅｂページへリンクする形態）、テキスト広告（Ｗｅｂページ上に設けられたテキストのみの広告、クリックにより広告主のＷｅｂページへリンク）、また、電子メール広告（会員ユーザに対し個別の広告メールを配信）などが考えられる。データセンターＣは各アドレス帳を常時サーチし、キーワード検出を行うことなどにより、ユーザのニーズに応じた広告データを選択・抽出して広告表示を実施する。なお、広告の表示を許可するか否か、および、許可する広告の種別などについては、会員ユーザがＷｅｂページ上などで設定、変更できるようにする。
【０１７０】
データセンターＣは、ユーザが閲覧した広告の内容と回数などを記録し、ユーザのポイントとして加算を行う。また、本サイト会員が広告閲覧の上、広告主Ｄの商品などを購入した場合、その商品に基づいて予め設定されたポイントが加算される。加算されたポイントは、様々なサービスの購入および利用料に当てられるものである。例えば、本サイトの利用料や、電話機購入代金の充当、さらには、電話機を利用した通信料などである。これにより、ユーザは自分の興味のある情報を閲覧し、Ｗｅｂ上で物品購入を行えるなど便利になる他、ポイントに応じて報酬を得ることができる。
【０１７１】
なお、上述した実施形態は、本発明の好適な実施形態の一例を示すものであり、本発明はそれに限定されるものではなく、その要旨を逸脱しない範囲内において、種々変形実施が可能である。
【０１７２】
【発明の効果】
以上の説明から明らかなように、本発明によれば、電話番号など個人情報の変更時に変更内容を関係者へ連絡する手間や負担を軽減し、変更を知らない関係者が、変更前の連絡先にアクセスするなどの呼損を防止することができる。
【０１７３】
また、携帯電話を紛失した場合、故障した場合などでも、個人情報データがデータセンターにて守られているので、データの回復ができる。また、データを携帯電話端末間で転送できる。
【０１７４】
また、Ｗｅｂブラウザ機能を有する各種端末によりデータセンターにアクセスすることにより個人情報データの編集を行うことができ、必要に応じてデータのアップロードやダウンロードを行うことができる。
【０１７５】
また、データセンターに個人情報に関する問い合わせのサービスを設けることにより、変更後の個人情報を問い合わせることなどができる。
【０１７６】
また、グループ設定を行うことにより、個人情報データを共有使用することができる。
【０１７７】
また、登録されている個人情報データと広告情報とのマッチングを行って広告情報を配信することにより、ユーザはニーズに応じた情報を得ることができる。
【図面の簡単な説明】
【図１】本発明の実施の形態における個人情報管理システムの構成図である。
【図２】データセンターＣの構成を示す図である。
【図３】店頭にて携帯電話機を購入する場合の説明図である。
【図４】Ｗｅｂ上で携帯電話機の購入の申し込みなどを行う場合の説明図である。
【図５】個人情報の変更内容を電子メールにて通知する場合の説明図である。
【図６】個人情報の変更内容を音声応答装置により通知する場合の説明図である。
【図７】Ｗｅｂページ上で電話番号などの問い合わせを行う場合の説明図である。
【図８】通知を許可されていないユーザがＷｅｂページ上で問い合わせを行う場合の説明図である。
【図９】電話にて個人情報の問い合わせを行う場合の説明図である。
【図１０】通知を許可されていないユーザが電話にて個人情報の問い合わせを行う場合の説明図である。
【図１１】グループでアドレス帳を共用する場合の説明図である。
【図１２】グループの各アドレス帳を自動更新する場合の説明図である。
【符号の説明】
１０１  移動体交換網
１０２  一般加入電話回線
１１  解約携帯電話
１２  新規契約携帯電話
２１  メモリ転送装置
２２  情報処理装置
３１  携帯電話
３２  一般加入固定電話
４１  サーバ群
４２  データベース
４３  音声応答装置
５１  情報処理装置
２０３  ルータ
２０４  Ｗｅｂマネジメントサーバ
２０５  Ｗｅｂサーバ
２０６  メールサーバ
２０７  ＤＢサーバ
２０８  認証サーバ
【図１】
0003678660.tif 000002
【図２】
0003678660.tif 000003
【図３】
0003678660.tif 000004
【図４】
0003678660.tif 000005
【図５】
0003678660.tif 000006
【図６】
0003678660.tif 000007
【図７】
0003678660.tif 000008
【図８】
0003678660.tif 000009
【図９】
0003678660.tif 000010
【図１０】
0003678660.tif 000011
【図１１】
0003678660.tif 000012
【図１２】
0003678660.tif 000013